(57)【要約】【課題】簡単な構成にして複数の面照明装置の発光を容易に制御することのできる面照明システムを提供する。【解決手段】予め任意に選定される発光ユニットである基準ユニットと従属ユニットとに区分される複数の発光ユニット(2)と、発光制御手段と、基準ユニットの点灯制御を行うシステム制御手段とを備え、少なくとも１つの従属ユニットは基準ユニットを親機とする第１従属ユニット、第１従属ユニットに隣接する従属ユニットを第２従属ユニットとし、第１従属ユニット及び第２従属ユニットは、親機が発する光の一部を自身のユニットへ導く光伝達手段（24a,24b）と、光伝達手段により導かれた光の光特性を検出する光検出手段(26)とを備え、発光制御手段は、親機の発する光の光特性と子機となる従属ユニットが発する光の光特性との関係が所定の関係となるように、第１従属ユニット及び第２従属ユニットの発光を制御する。【選択図】図４
2012142272.tif 000002
【特許請求の範囲】
【請求項１】
予め任意に選定される面発光ユニットである基準ユニットと、該基準ユニット以外の面発光ユニットである従属ユニットとに区分される複数の面発光ユニットと、
発光制御手段と、
前記基準ユニットに接続可能であり、前記基準ユニットの点灯制御を行うシステム制御手段とを備え、
前記従属ユニットは、
自身の発光ユニット以外の面発光ユニットの１つを親機とし、前記親機が前記基準ユニットである第１従属ユニットと、
前記親機が第Ｘ従属ユニットである第（Ｘ＋１）従属ユニット（Ｘは１以上の整数）からなり、
各従属ユニットは、
前記親機となる面発光ユニットとの間に、前記親機が発する光の一部を自身の面発光ユニット内に導く光伝達手段と、
前記光伝達手段により導かれた光の光特性を検出する光検出手段とを備え、
前記発光制御手段は、前記光検出手段が検出した前記親機となる面発光ユニットが発する光の光特性と、前記親機に対し子機となる従属ユニットが発する光の光特性との関係が所定の関係となるように、前記各従属ユニットの発光を制御する手段を含むことを特徴とする面照明システム。
【請求項２】
前記従属ユニットは、その親機となる面発光ユニットに隣接していることを特徴とする請求項１に記載の面照明システム。
【請求項３】
前記光伝達手段は、前記親機となる面発光ユニットの側面に対向する側面に設けられ、前記親機となる面発光ユニットの前記側面に形成された貫通孔に、対向するようにそれぞれ形成された貫通孔であることを特徴とする請求項１または２に記載の面照明システム。
【請求項４】
前記光伝達手段は、前記貫通孔の少なくとも一部に嵌合される導光部材をさらに有することを特徴とする請求項３に記載の面照明システム。
【請求項５】
前記光伝達手段は、さらに、前記親機となる面発光ユニットの貫通孔と前記子機の貫通孔とをそれぞれ覆うように、前記親機となる面発光ユニットの側面と前記子機の側面との間に挟持された弾性部材である導光部材を有することを特徴とする請求項３または４に記載の面照明システム。
【請求項６】
前記導光部材は、厚み３ｍｍにおける波長５８９．３ｎｍの光に対する透過率が５０％以上、且つ屈折率が１．３以上であることを特徴とする請求項４または５に記載の面照明システム。
【請求項７】
前記導光部材の少なくとも一部は、弾性部材であることを特徴とする請求項４乃至６のいずれかに記載の面照明システム。
【請求項８】
前記弾性部材は、ヤング率が１ＧＰａ以下であることを特徴とする請求項５乃至７のいずれかに記載の面照明システム。
【請求項９】
前記光伝達手段は、導光部材から形成され、前記親機となる面発光ユニットが発する光を導入して前記親機に対し前記子機となる面発光ユニットの前記光検出手段に向けて放出する両端部を有する光伝達路であり、
前記両端部は、前記親機となる面発光ユニットと前記子機となる面発光ユニットとの発光面側にそれぞれ接合されることを特徴とする請求項１または２に記載の面照明システム。
【請求項１０】
前記発光制御手段は、予め求められた前記光伝達手段の光の透過特性に基づいて、前記光検出手段により検出した光の光特性を補正することを特徴とする請求項１乃至９のいずれかに記載の面照明システム。
【請求項１１】
前記発光制御手段は、
前記光検出手段が検出した前記親機となる面発光ユニットが発する光の光特性を記憶する記憶手段と、
前記光検出手段を使用して検出された未制御の従属ユニットが発する光の光特性が、前記記憶手段に記憶された前記親機となる面発光ユニットが発する光の光特性と所定の関係になるように補正量を計算する補正量算出手段とを備え、
前記発光制御手段は、順次、各従属ユニットに対して前記補正量算出手段で算出された補正量に基づいて制御することを特徴とする請求項１０に記載の面照明システム。
【請求項１２】
前記発光制御手段は、前記従属ユニットに設けられていることを特徴とする請求項１乃至１１のいずれかに記載の面照明システム。
【請求項１３】
前記発光制御手段は、遠隔操作手段により行われることを特徴とする請求項１乃至１１のいずれかに記載の面照明システム。
【請求項１４】
前記発光ユニットは、有機ＥＬ素子で構成されることを特徴とする請求項１乃至１３のいずれかに記載の面照明システム。
【請求項１５】
前記面発光ユニットは、ＬＥＤ素子で構成されることを特徴とする請求項１乃至１３のいずれかに記載の面照明システム。
【請求項１６】
予め任意に選定される面発光ユニットである１つの基準ユニットと、該基準ユニット以外の面発光ユニットである従属ユニットとに区分される複数の面発光ユニットを有する面照明システムの制御方法であって、
前記従属ユニットは、自身の面発光ユニット以外の面発光ユニットの１つを親機とし、前記親機が前記基準ユニットである第１従属ユニット、及び前記親機が第Ｘ従属ユニットである第（Ｘ＋１）従属ユニット（Ｘは１以上の整数）として自身が発する光の光特性を制御するものであり、
前記従属ユニットが親機とする面発光ユニットが発する光の一部を、前記親機に対して子機となる従属ユニットの面発光ユニット内に導く光伝達ステップと、
前記光伝達ステップにより導かれた光の光特性を検出する光検出ステップと、
前記光検出ステップで検出された親機となる面発光ユニットが発する光の光特性と、前記親機に対して子機となる従属ユニットが発する光の光特性との関係が所定の関係となるように、前記子機となる従属ユニットの発光を制御する発光制御ステップと、
を含むことを特徴とする面照明システムの制御方法。
【請求項１７】
前記従属ユニットは、その親機となる面発光ユニットに隣接していることを特徴とする請求項１６に記載の面照明システムの制御方法。
【請求項１８】
前記発光制御ステップは、前記複数の面発光ユニットを所定のパターンで点灯させることを特徴とする請求項１６または１７に記載の面照明システムの制御方法。
【請求項１９】
前記発光制御ステップは、前記親機となる面発光ユニットの輝度に対して、前記子機となる従属ユニットの輝度を上げることを特徴とする請求項１６乃至１８のいずれかに記載の面照明システムの制御方法。
【請求項２０】
前記発光制御ステップは、前記複数の面発光ユニットを所定の色パターンで点灯させることを特徴とする請求項１６乃至１９のいずれかに記載の面照明システムの制御方法。
【発明の詳細な説明】
【技術分野】
【０００１】
本発明は、面照明システム及び面照明システムの制御方法に係り、詳しくは複数の面照明装置から構成される面照明システム及びこのような面照明システムの点灯制御を行うための制御方法に関するものである。
【背景技術】
【０００２】
照明装置の多様化によって、色温度や発光色を変更することができる照明装置や、面発光照明装置等が開発されている。このような照明装置を複数台使用して照明システムを構成することにより、例えば比較的広い部屋の照明が可能となるほか、様々な点灯パターンを得ることも可能となる。
【０００３】
特に近年、ＬＥＤや有機ＥＬ素子等から構成される半導体照明装置が開発されており、輝度や発光色を自由に変化させることの可能な照明装置が製品化されている。このような照明装置を使用して、照明装置の発する光の色や輝度に基づいて他の照明装置の点灯を制御する照明システムも開発されている。具体的には、照明装置間を電気的な配線により接続する構成や（特許文献１）、照明ユニットに取り付けられたＲＦＩＤを使用して無線で照明ユニットを制御する構成が開示されている（特許文献２）。
【先行技術文献】
【特許文献】
【０００４】
【特許文献１】国際公開第１９９９／０３１５６０号
【特許文献２】特表２０１０−５０３１６８号公報
【発明の概要】
【発明が解決しようとする課題】
【０００５】
照明装置の発光素子にＬＥＤや有機ＥＬ素子等を使用している場合、このような照明装置には複数色、例えば３色以上の発光素子が複数配置されて構成されている。このような照明装置を使用した照明システムでは発光素子の発光色を制御する必要があるが、複数色の発光素子を使用することから発光色の自由度が増え、制御の複雑さが増してしまう。さらに、デジタル信号といった電気信号で発光色などの指示を各照明装置に個別に供給して照明システムを制御する場合には、複数の制御線を使用するか、または複雑なプロトコルを使用して通信制御を行う必要があるため、配線や制御が複雑になるという問題もある。特に面照明装置の場合、発光素子毎の小さな光特性の違いが目立ちやすいため、これを制御することが重要となる。
【０００６】
これらの点に関し、上記特許文献１では、点灯情報を伝達するデジタルデータ用の配線だけでなく通信制御信号用の電力供給回路、送受信信号レベルの調整回路等を含んで照明システムが構成されるので、配線が一層複雑になるという点で課題が残っている。また、上記特許文献１及び２では、通信プロトコルを使用して照明機器の制御を行うため、専用の通信用プロセッサが必要となり、高度な制御を行うことができるものの構成が複雑になり、コストが増大するという点で依然として課題が残っている。
【０００７】
本発明は、上述した課題を解決すべくなされたものであり、その目的とするところは、簡単な構成にして複数の面照明装置の発光を容易に制御することのできる面照明システム及び面照明システムの制御方法を提供することにある。
【課題を解決するための手段】
【０００８】
上記の目的を達成するべく、本発明の面照明システムは、予め任意に選定される面発光ユニットである基準ユニットと、該基準ユニット以外の面発光ユニットである従属ユニットとに区分される複数の面発光ユニットと、発光制御手段と、前記基準ユニットに接続可能であり、前記基準ユニットの点灯制御を行うシステム制御手段とを備え、前記従属ユニットは、自身の発光ユニット以外の面発光ユニットの１つを親機とし、前記親機が前記基準ユニットである第１従属ユニットと、前記親機が第Ｘ従属ユニットである第（Ｘ＋１）従属ユニット（Ｘは１以上の整数）からなり、各従属ユニットは、前記親機となる面発光ユニットとの間に、前記親機が発する光の一部を自身の面発光ユニット内に導く光伝達手段と、前記光伝達手段により導かれた光の光特性を検出する光検出手段とを備え、前記発光制御手段は、前記光検出手段が検出した前記親機となる面発光ユニットが発する光の光特性と、前記親機に対し子機となる従属ユニットが発する光の光特性との関係が所定の関係となるように、前記各従属ユニットの発光を制御する手段を含むことを特徴とする。
【０００９】
このような構成にすることにより、従属ユニットの発する光の光特性は、当該従属ユニットの親機となる面発光ユニットの発する光の光特性に基づいて調整される。即ち、基準ユニットが発する光の光特性を変更すると、当該基準ユニットを親機とする第１従属ユニットが発する光の光特性が変更され、第１従属ユニットが発する光の光特性の変更により、当該第１従属ユニットを親機とする第２従属ユニットが発する光の光特性が変更される。そして、第２従属ユニットが発する光の光特性の変更により、当該第２従属ユニットを親機とする第３従属ユニットが発する光の光特性が変更される。このように、基準ユニットの発する光の光特性の変更に従って、従属ユニットの発する光の光特性も順次調整される。ここで、従属ユニットは、親機となる面発光ユニットとの間に、親機となる面発光ユニットが発する光の一部を自らの光検出手段に導く光伝達手段を備えており、従属ユニットは親機となる面発光ユニットに隣接しているのが好ましい。
【００１０】
前記光伝達手段は、前記親機となる面発光ユニットの側面に対向する側面に設けられ、前記親機となる面発光ユニットの前記側面に形成された貫通孔に、対向するようにそれぞれ形成された貫通孔であるようにしてもよい。
【００１１】
前記光伝達手段は、前記貫通孔の少なくとも一部に嵌合される導光部材をさらに有するようにしてもよい。
【００１２】
前記光伝達手段は、さらに、前記親機となる面発光ユニットの貫通孔と前記子機の貫通孔とをそれぞれ覆うように、前記親機となる面発光ユニットの側面と前記子機の側面との間に挟持された弾性部材である導光部材を有するようにしてもよい。
【００１３】
この場合、前記導光部材は、厚み３ｍｍにおける波長５８９．３ｎｍの光に対する透過率が５０％以上、且つ屈折率が１．３以上であるのが好ましい。
【００１４】
このような前記導光部材の少なくとも一部は、弾性部材であるようにしてもよい。また、前記弾性部材は、ヤング率が１ＧＰａ以下であるのが好ましい。
【００１５】
前記光伝達手段は、導光部材から形成され、前記親機となる面発光ユニットが発する光を導入して前記親機に対し前記子機となる面発光ユニットの前記光検出手段に向けて放出する両端部を有する光伝達路であり、前記両端部は、前記親機となる面発光ユニットと前記子機となる面発光ユニットとの発光面側にそれぞれ接合されるようにしてもよい。
【００１６】
このように構成された面照明システムにおいて、前記発光制御手段は、予め求められた前記光伝達手段の光の透過特性に基づいて、前記光検出手段により検出した光の光特性を補正するのが好ましい。
【００１７】
また、前記発光制御手段は、前記光検出手段が検出した前記親機となる面発光ユニットが発する光の光特性を記憶する記憶手段と、前記光検出手段を使用して検出された未制御の従属ユニットが発する光の光特性が、前記記憶手段に記憶された前記親機となる面発光ユニットが発する光の光特性と所定の関係になるように補正量を計算する補正量算出手段とを備え、前記発光制御手段は、順次、各従属ユニットに対して前記補正量算出手段で算出された補正量に基づいて制御するようにしてもよい。
【００１８】
このように構成された面照明システムにおいて、前記発光制御手段は、前記従属ユニットに設けられているようにしてもよい。
【００１９】
一方、前記発光制御手段は、遠隔操作手段により行うようにしてもよい。
【００２０】
このような面照明システムで使用される前記面発光ユニットは、有機ＥＬ素子で構成されていることが好ましい。
【００２１】
または、前記面発光ユニットは、ＬＥＤ素子で構成されていることも好ましい。
【００２２】
また、上記目的を達成するため、本発明の面照明システムの制御方法は、予め任意に選定される面発光ユニットである１つの基準ユニットと、該基準ユニット以外の面発光ユニットである従属ユニットとに区分される複数の面発光ユニットを有する面照明システムの制御方法であって、前記従属ユニットは、自身の面発光ユニット以外の面発光ユニットの１つを親機とし、前記親機が前記基準ユニットである第１従属ユニット、及び前記親機が第Ｘ従属ユニットである第（Ｘ＋１）従属ユニット（Ｘは１以上の整数）として自身が発する光の光特性を制御するものであり、前記従属ユニットが親機とする面発光ユニットが発する光の一部を、前記親機に対して子機となる従属ユニットの面発光ユニット内に導く光伝達ステップと、前記光伝達ステップにより導かれた光の光特性を検出する光検出ステップと、前記光検出ステップで検出された親機となる面発光ユニットが発する光の光特性と、前記親機に対して子機となる従属ユニットが発する光の光特性との関係が所定の関係となるように、前記子機となる従属ユニットの発光を制御する発光制御ステップと、を含むことを特徴とする。
【００２３】
このような面照明システムの制御方法によって、従属ユニットは自身の親機となる面発光ユニットの発する光の光特性に基づいて、自らの発する光の光特性を調整する。そして、基準ユニットが発する光の光特性を変更すれば、基準ユニットを親機とする第１従属ユニットが発する光の光特性が変更され、第１従属ユニットが発する光の光特性の変更により、当該第１従属ユニットを親機とする第２従属ユニットが発する光の光特性が変更される。そして、第２従属ユニットが発する光の光特性の変更により、当該第２従属ユニットを親機とする第３従属ユニットの発する光の特性が変更される。このように、基準ユニットの発する光の光特性を変更すると、その変更に従って従属ユニットの発する光の光特性も順次調整される。
【００２４】
このような面照明システムの制御方法では、前記従属ユニットは、親機となる面発光ユニットに隣接しているのが好ましい。
【００２５】
このような面照明システムの制御方法において、前記発光制御ステップは、前記複数の面発光ユニットを所定のパターンで点灯させるようにしてもよい。
【００２６】
また、前記発光制御ステップは、前記親機となる面発光ユニットの輝度に対して、前記子機となる従属ユニットの輝度を上げるように調整してもよい。
【００２７】
さらに、前記発光制御ステップは、前記複数の面発光ユニットを所定の色パターンで点灯させてもよい。
【発明の効果】
【００２８】
本発明の面照明システムによれば、従属ユニットの発する光の光特性は、当該従属ユニットの親機となる面発光ユニットの発する光の光特性に基づいて調整される。このとき、光検出手段が検出した親機となる面発光ユニットが発する光の光特性と子機となる従属ユニットが発する光の光特性との関係が所定の関係となるように制御されるので、簡単な構成で従属ユニットの発する光の光特性を容易に制御することができる。
【００２９】
また、従属ユニットは、親機となる面発光ユニットの光の一部を自らの光検出手段に導くようにすれば、検出対象の面発光ユニットの光特性を確実に検出することができる。さらに、面発光ユニット以外の散乱光の影響を受けにくくなるので、光特性の制御精度を向上させることができる。
【００３０】
そして、従属ユニットが親機となる面発光ユニットに隣接するようにすれば、検出対象の面発光ユニットの光特性を容易且つ確実に検出することができる。
【００３１】
また、上述した発光制御手段が光伝達手段の光の透過性に基づいて検出した光特性を補正するようにすれば、使用する光伝達手段の特性に起因する光特性の誤差を補正することができる。
【００３２】
また、各従属ユニットに対して、順次補正量を算出して制御するようにすれば、上述したような効果を得ることができると共に、各従属ユニットの光特性を精度よく制御することができる。
【００３３】
また、所定のパターン等で点灯するように面発光ユニットを制御するようにすれば、面照明システムを装飾として用いる場合に有効である。
【図面の簡単な説明】
【００３４】
【図１】本発明の第１実施例に係る面照明システムの概略構成を示す斜視図である。
【図２】図１に示す面照明装置の発光面から見た部分拡大図である。
【図３】図２のIII−III線に沿う断面図である。
【図４】図２のVI−VI線に沿う断面図である。
【図５】図１に示す面照明システムを模式的に表した平面図である。
【図６】図５に示す基準ユニットの制御回路を示すブロック図である。
【図７】図５に示す従属ユニットの制御回路を示すブロック図である。
【図８】本発明の第１実施例に係る面照明システムにおける基準ユニットの制御を示すフローチャートである。
【図９】本発明の第１実施例に係る面照明システムにおける、基準ユニットを親機とした従属ユニットの制御を示すフローチャートである。
【図１０】本発明の第１実施例に係る面照明システムにおける、隣接する従属ユニットを親機とした従属ユニットの制御を示すフローチャートである。
【図１１】図１に示す第１実施例の面照明システムの変形例を模式的に表した平面図である。
【図１２】第１実施例の他の変形例に係る面照明システムにおける、基準ユニットを親機とした従属ユニットの制御を示すフローチャートである。
【図１３】第１実施例の他の変形例に係る面照明システムにおける、隣接する従属ユニットを親機とする従属ユニットの制御を示すフローチャートである。
【図１４】第１実施例の他の変形例を示す面照明システムを模式的に表した平面図である。
【図１５】本発明の第２実施例に係る面照明システムにおける、図２のVI−VI線に沿う断面図である。
【図１６】本発明の第３実施例に係る面照明システムの概略構成を示す斜視図である。
【図１７】本発明の第３実施例に係る面照明システムにおける、図２のVI−VI線に沿う断面図である。
【図１８】本発明の第３実施例の変形例に係る面照明システムにおける、図２のVI−VI線に沿う断面図である。
【図１９】本発明の第４実施例に係る面照明システムの概略構成図である。
【図２０】図１９に示すリモコンの制御回路を示すブロック図である。
【図２１】図１９に示す面照明装置の制御回路を示すブロック図である。
【図２２】本発明の第４実施例に係るリモコンによる発光制御を示すフローチャートである。
【図２３】本発明の第４実施例に係る従属ユニットによる発光制御を示すフローチャートである。
【発明を実施するための形態】
【００３５】
以下、本発明の実施形態について、いくつかの実施例に基づいて図面を参照しながら詳細に説明する。なお、本発明は以下に記載する内容に限定されるものではなく、本発明の要旨を逸脱しない範囲において任意に変更して実施することが可能である。また、以下の説明に用いる図面は、何れも本発明に係る面照明システム等を模式的に示すものであって、理解を深めるべく部分的な強調、拡大、縮小、または省略などを行っている場合があり、各構成部材の縮尺や形状等を正確に表すものとはなっていないことがある。さらに、以下の説明で用いる様々な数値は、いずれも一例を示すものであり、必要に応じて様々に変更することが可能である。
【００３６】
＜第１実施例＞
図１は、本発明の第１実施例に係る面照明システム１の概略構成を示す斜視図である。図１に示すように、面照明システム１は、複数の面照明装置（発光ユニット）２が所定の間隔に並べられて構成されている。各面照明装置２は、予め組み合わせが定められた隣接する２つの面照明装置２毎に、一方の面照明装置２が親機、他方の面照明装置２が子機の関係にある。また、１つの組み合わせで子機となる面照明装置２は、別の組み合わせ、即ちもう１つ別の隣接する面照明装置２との組み合わせにおいて親機となることがある。なお、このような親機と子機のとの組み合わせについては、後に詳しく説明する。
【００３７】
面照明装置２は後述するような発光光源を備え、発光面４から外部へ光を放射する。親機と子機との関係をもって隣接する２つの面照明装置２のそれぞれ対向する側面部６には貫通孔８が対向して穿設されており、後述するように、この貫通孔８を介して、隣接する２つの面照明装置２間で親機となる一方の面照明装置２の発する光の一部が、子機となる他方の面照明装置２に入射する。
【００３８】
面照明装置２の発光面４側から見た面照明システム１の一部を模式図として図２に示す。面照明装置２には、図２中に破線で示すように発光光源として細長く形成された複数の有機ＥＬ素子１２が互いに平行に設けられている。有機ＥＬ素子１２が配置されていない発光面４の領域、つまり各面照明装置２の周縁部は未発光領域Ａとなる。
【００３９】
（面照明装置の全体構成）
図３は、図２中の面照明装置２のIII−III線に沿う断面図である。図３に示すように、基板１０上には、有機ＥＬ素子１２に水分や酸素の吸着を防止する封止カバー１４が接合されている。また、基板１０の有機ＥＬ素子１２が配置されている面とは反対側の面には、基板１０を保護する保護板１６が延設されている。保護板１６の全周には、断面がＬ字状の枠部材１８が設けられている。枠部材１８には、有機ＥＬ素子１２が発した光の一部が基板１０や保護板１６から外方に放射されずに枠部材１８に達した光が、枠部材１８において発光面４側から外方に放射されるように反射板２０が配置されている。枠部材１８と反射板２０とで形成される中空部分には、図示しないが有機ＥＬ素子１２へ給電するための配線や制御線等が収納されている。そして、基板１０が枠部材１８に接着固定され、枠部材１８がカバー２２に接着固定されている。
【００４０】
次に、面照明装置２の各構成部分において詳細に説明する。
【００４１】
（基板）
本実施例において基板１０は、ガラス製で板状の透明基板である。なお、基板１０には金属板やセラミックス、プラスチックフィルム等が用いられてもよい。特に、本実施例で使用するガラス製の透明基板や、ポリエステル、ポリメタクリレート、ポリカーボネート、またはポリスルホン等の透明な樹脂基板が望ましい。また、基板１０には、各有機ＥＬ素子１２に給電するための配線が形成されている。
【００４２】
（有機ＥＬ素子）
本実施例において基板１０上には、発光色の異なる複数の有機ＥＬ素子１２が配置される。例えば、本実施例では発光色を赤色、緑色、及び青色とし、これらの発光色に対応し、有機ＥＬ素子１２の符号を区別して用いる。即ち、発光色が赤色の有機ＥＬ素子１２Ｒ、発光色が緑色の有機ＥＬ素子１２Ｇ、及び発光色が青色の有機ＥＬ素子１２Ｂがこの記載の順に平行に等間隔で繰り返し基板１０上に配置される。このように配置された有機ＥＬ素子１２Ｒ、１２Ｇ、１２Ｂが発した赤色、緑色、青色のそれぞれの光が合成され、発光面４から照射される合成光は白色光となる。
【００４３】
図示しないが、本実施例において有機ＥＬ素子１２は、基板１０上に、陽極、電荷輸送層、発光層、及び陰極をこの順に積層されて構成される。上記発光層に使用される発光材料として以下が挙げられる。
【００４４】
青色発光を与える発光材料としては、例えば、ナフタレン、ペリレン、ピレン、アントラセン、クマリン、ｐ−ビス（２−フェニルエテニル）ベンゼン及びそれらの誘導体等が挙げられる。緑色発光を与える発光材料としては、例えば、キナクリドン誘導体、クマリン誘導体、Ａｌ（Ｃ9Ｈ6ＮＯ）3等のアルミニウム錯体等が挙げられる。そして、赤色発光を与える発光材料としては、例えば、ＤＣＭ（４−（ｄｉｃｙａｎｏｍｅｔｈｙｌｅｎｅ）−２−ｍｅｔｈｙｌ−６−（ｐ−ｄｉｍｅｔｈｙｌａｍｉｎｏｓｔｙｒｙｌ）−４Ｈ−ｐｙｒａｎ）系化合物、ベンゾピラン誘導体、ローダミン誘導体、ベンゾチオキサンテン誘導体、アザベンゾチオキサンテン等が挙げられる。なお、このような発光材料は、いずれか１種類のみを用いてもよく、２種類以上を任意の組み合わせ及び比率で併用してもよい。
【００４５】
なお、発光色の種類は上述した色に限られず、面照明装置２に求められる発光色に応じ、適宜選択すればよい。また、面照明装置２から合成光として白色光を得る場合でも、上記組み合わせの他に、例えば、青色光と黄色光、赤色光と青緑色光（シアン色光）、或いは緑色光と赤紫色光（マゼンダ色光）等の組み合わせを採用してもよい。
【００４６】
また、有機ＥＬ素子１２の形状は上述した形状に限られず、適宜変更可能であり、例えば、小さな正方形状に形成して基板１０にマトリクス状に配置するようにしてもよい。
【００４７】
（封止カバー）
本実施例において、封止カバー１４は、水分透過性及び酸素透過性の低い材料から形成される。例えば、ガラスやセラミック等の無機材料、ステンレス、鉄、アルミニウム等の金属材料、ポリエチレンテレフタレートやポリエチレンナフタレート等のポリエステルやポリスチレン、またはポリカーボネートやポリシクロオレフィン等の高分子材料から形成されてもよい。
【００４８】
また、封止カバー１４の内面には、光反射率の高い白色のコーディング等を施して、面照明装置２の発光効率を高めるのが好ましい。
【００４９】
（保護板）
本実施例において、保護板１６は、ガラス製で透明な板状である。なお、保護板１６には高分子フィルム基板が用いられてもよく、例えば、ポリエステル、ポリエチレンテレフタレート、ポリエチレンナフタレート等の透明な樹脂基板が望ましい。
【００５０】
また、各有機ＥＬ素子１２Ｒ、１２Ｇ、１２Ｂが発する光の合成をより促進するために、例えば乳白色等の保護板を用いてもよい。
【００５１】
（反射板）
本実施例において、反射板２０は平板状に形成されており、有機ＥＬ素子１２から発せられた後、基板１０内や保護板１６内で屈折、反射して保護板１６から外方へ放射されずに反射板２０に達した光を反射して発光面４側から外部へ放射する。これにより、上述した未発光領域Ａを狭めることが可能であり、各面照明装置２の発光面４における発光領域が連続して見えるようになり、美観を改善することができる。
【００５２】
なお、反射板２０の形状はこれに限られず、枠部材１８と一体に形成されてもよく、この場合の反射板２０の断面は中空でなくてもよい。また、反射板２０の代わりに、反射板２０に光が拡散するように凹凸を形成した拡散板を使用してもよい。
【００５３】
（面照明装置間の構成）
図４に、図２に示した面照明装置２のIV−IV線に沿う断面図を示す。隣接する親機となる面照明装置２ａ、子機となる面照明装置２ｂの側面部６となる被覆カバー２２の側面部２２ａには、互いに対向する位置に貫通孔（光伝達手段）８がそれぞれ穿設されている。そして、貫通孔８には導光部材（光伝達手段）２４ａ、２４ｂがそれぞれ嵌め込まれている。面照明装置２ａの貫通孔８に嵌め込まれた導光部材２４ａは、面照明装置２ａの有機ＥＬ素子１２が光を発した後、基板１０を通って導光部材２４ａに達した光を放射するものである。面照明装置２ｂの貫通孔８に嵌め込まれた導光部材２４ｂは、面照明装置２ａが導光部材２４ａから発する光を受光センサ（光検出手段）２６に導くためのものである。なお、導光部材２４ａ、２４ｂ、及び受光センサ２６は、後述する親機及び子機の組み合わせの順番に従って配置される。
【００５４】
受光センサ２６は、例えば受光センサ２６に入射した光の輝度及び色度の少なくともいずれか一方の光特性を検出するものである。本実施例では、光特性として輝度及び色度の両方を検出するものとする。ここで、面照明装置２ｂに配置された導光部材２４ａ、２４ｂと受光センサ２６との間に光学レンズを配置してもよい。光学レンズを配置することにより、受光センサ２６の受光感度を高めることができる。なお、受光センサ２６が検出する光の特性は輝度や色度に限られず、いずれか一方でもよい。具体的な受光センサ２６として、例えば、フォトダイオード、ＣＣＤイメージセンサ、ＣＭＯＳイメージセンサ等がある。また、色度を検出する場合には、受光センサ２６の受光面側にカラーフィルタを設けて色度の判定を行うようにしてもよい。
【００５５】
なお、本実施例において、受光センサ２６に位置する反射板２０は、受光センサ２６を配置するため一部を切り欠いている。これに代えて、受光センサ２６が配置される枠部材１８の一辺だけ反射板２０の傾きを他の三辺と変えてもよい。
【００５６】
（導光部材）
本実施例において、導光部材２４ａ、２４ｂは、例えば内側が反射板で被覆された中空筒状の部材や、光ファイバー、ガラス、アクリル樹脂、塩化ビニル樹脂、ポリカーボネート樹脂、シリコンゴム等を使用してもよい。また、本実施例における導光部材２４ａ、２４ｂとしては、厚みが３ｍｍのときの波長５８９．３ｎｍの光に対する透過率が５０％以上、且つ屈折率が１．３以上となる材料が好ましい。このような導光部材２４ａ、２４ｂを使用することにより、面照明装置２ａの発する光の一部を隣接する面照明装置２ｂに配置された受光センサ２６に入射させることができる。
【００５７】
（面照明システムの構成）
図５は、本発明の第１実施例に係る面照明システム１の平面図である。図５に示すように、面照明システム１はｍ×ｎ台の面照明装置２から構成されており、そのうち任意の１台を選定して、それを基準ユニットとする。本実施例では、面照明装置２Ｓ11を基準ユニットとして選定しており、基準ユニット２Ｓ11以外の面照明装置２Ｓ12〜２Ｓmnを従属ユニットとしている。なお、基準ユニットの選定は、基準ユニットまたは従属ユニットを切り替えるスイッチを面照明装置２に設け、このスイッチによって行ってもよく、またはリモコンや後述する操作部によって行ってもよい。
【００５８】
後述するように、面照明装置２Ｓ11にはシステム制御部が電気的に接続されている。当該システム制御部は基準ユニットとなる面照明装置２Ｓ11内に設けられてもよいし、リモコン等の外部機器に備えられていてもよい。なお、本実施例では基準ユニットとなる面照明装置２Ｓ11内に当該システム制御部が設けられている。
【００５９】
また、図５に示したそれぞれの矢印の順番に従って、親機となる面照明装置２の側面部６に穿設された貫通孔８には導光部材２４ａ、導光部材２４ａが配置された貫通孔８に対向する位置に穿設された子機となる面照明装置２の貫通孔８には導光部材２４ｂ及び受光センサ２６がそれぞれ配置され、矢印の順番に従って各面照明装置２Ｓ12〜２Ｓmnの発する光の光特性が制御されていく。
【００６０】
図５に示す従属ユニット２Ｓ12〜２Ｓmnにおいて、基準ユニット２Ｓ11は従属ユニット２Ｓ12（第１従属ユニット）の親機となり、従属ユニット２Ｓ12は基準ユニット２Ｓ11の子機の関係になる。その後、従属ユニット２Ｓ12は、隣接する従属ユニット２Ｓ13（第２従属ユニット）の親機となり、従属ユニット２Ｓ13は子機の関係になる。さらにこの後、従属ユニット２Ｓ13は従属ユニット２Ｓ14（第３従属ユニット）の親機となり、従属ユニット２Ｓ14は子機となる。このように従属ユニットの親子関係が図５中の矢印に従って従属ユニット２Ｓmn（第（Ｘ＋１）従属ユニット、Ｘは１以上の整数）まで順次切り替わっていく。
【００６１】
上記の設定に従い、以下、面照明装置２Ｓ11を基準ユニット２Ｓ11、面照明装置２Ｓ12〜２Ｓmnを従属ユニット２Ｓ12〜２Ｓmnと読み替えて説明する。図６には基準ユニットの制御回路のブロック図、図７には従属ユニットの制御回路のブロック図をそれぞれ示しており、それぞれの構成について以下に説明する。
【００６２】
図６に示すように、基準ユニット２Ｓ11には、基準ユニット２Ｓ11に配置されている各有機ＥＬ素子１２への電力供給を行う電力制御回路３０が設けられている。電力制御回路３０は、システム制御部（システム制御手段）３１と、制御部３２を介して操作部３４と接続されている。システム制御部３１は、基準ユニット２Ｓ11の点灯／非点灯を制御すると共に、輝度や色度等の光特性を制御（点灯制御）する。操作部３４は、ユーザと面照明システム１とを関連付けるマンマシン・インタフェースとして機能し、例えば操作キー及び表示部から構成されていてもよく、リモコンであってもよい。制御部３２は、操作部３４から入力されて指示された特性の光を得るために必要な各有機ＥＬ素子１２の電力量を求め、電力制御回路３０へ指令を送る。また、制御部３２にはメモリ３６が接続されており、指示された特性と、この特性を得るために必要な電力量とは予め関連付けられてメモリ３６に記憶されている。
【００６３】
電力制御回路３０には、基準ユニット２Ｓ11に配置されている複数の有機ＥＬ素子１２Ｒ、有機ＥＬ素子１２Ｇ、有機ＥＬ素子１２Ｂがそれぞれ接続されており、電力制御回路３０は各有機ＥＬ素子１２にそれぞれ供給する電力量を制御する。
【００６４】
図７に示すように、各従属ユニット２Ｓ12〜２Ｓmnは、受光センサ２６、メモリ３６、演算回路３８、電力制御回路３０、複数の有機ＥＬ素子１２Ｒ、有機ＥＬ素子１２Ｇ、有機ＥＬ素子１２Ｂを有している。本実施例では、基準ユニットと従属ユニットの構成を共通化しているため、従属ユニット２Ｓ12〜２Ｓmnにも制御部３２及び操作部３４を有しているが、従属ユニットとして作動する場合にはこれらの機能を使用しないものとする。なお、図示しないが基準ユニット２Ｓ11と従属ユニット２Ｓ12〜２Ｓmnとは共通の電源ラインで接続されていてもよい。このように構成することによって基準ユニット２Ｓ11がシステム制御部３１によって点灯されると、従属ユニット２Ｓ12〜２Ｓmnも順次点灯される。また、基準ユニット２Ｓ11がシステム制御部３１によって消灯されると、従属ユニット２Ｓ12〜２Ｓmnも順次消灯される。
【００６５】
同様に、基準ユニット２Ｓ11に後述する受光センサ２６、及び演算回路３８を有していてもよいが、基準ユニットとして作動する場合にはこれらの機能を使用しないものとする。
【００６６】
このように構成された本発明の第１実施例に係る面照明システム１の制御について、図８から説明する。図８は、基準ユニット２Ｓ11の発光制御を示すフローチャートである。制御部３２は、図８のフローチャートに従い基準ユニット２Ｓ11の発光制御を実行する。
【００６７】
（基準ユニットの輝度及び色温度調整）
ステップＳ１では、ユーザが操作部３４から設定した基準ユニット２Ｓ11における輝度及び色温度を読み込む。ここで設定される輝度は、例えば有機ＥＬ素子１２が非点灯となる輝度〜最大輝度までの間から連続的に、或いは段階的に設定されてもよい。同様に、色温度は、例えば電球色から昼光色までの間で連続的或いは段階的に設定されてもよい。
【００６８】
ステップＳ２では、上記ステップＳ１で設定された輝度及び色温度になるように、各有機ＥＬ素子１２Ｒ、有機ＥＬ素子１２Ｇ、有機ＥＬ素子１２Ｂにそれぞれ供給する電力量を求める。ここで、輝度に対する電力量は、例えばメモリ３６に記憶されたマップから、輝度及び色温度に対する電力量を求めるようにしてもよい。
【００６９】
ステップＳ３では、上記ステップＳ２で求められた電力量になるように、電力制御回路３０から各有機ＥＬ素子１２Ｒ、有機ＥＬ素子１２Ｇ、有機ＥＬ素子１２Ｂに供給する電力量を調整する。
【００７０】
（基準ユニットに基づく従属ユニットの輝度及び色度調整）
図９は、親機である基準ユニット２Ｓ11に隣接する子機となる従属ユニット２Ｓ12の発光制御を示すフローチャートである（発光制御ステップ）。従属ユニットの演算回路３８は、図９のフローチャートに従い、従属ユニットの発光制御を実行する。詳しくは、図５に示したように、基準ユニット２Ｓ11の輝度及び色温度に基づいて、隣接する従属ユニット２Ｓ12（第１従属ユニット）の輝度及び色温度を制御するフローチャートであり、以下に説明する。
【００７１】
ステップＳ１１では、隣接する基準ユニット２Ｓ11の発する光の一部が導光部材２４ａ、２４ｂを介して従属ユニット２Ｓ12の受光センサ２６に入射することにより、基準ユニット２Ｓ11の発する光の輝度及び色度を検出する。
【００７２】
ステップＳ１２では、メモリに記憶した補正係数を用い、上記ステップＳ１１で検出した輝度及び色度を補正する。使用する補正係数は、例えば導光部材２４ａ、２４ｂの有するスペクトルの減衰特性から求められる。導光部材２４ａ、２４ｂの有する光透過性は透過率が必ずしも１００％ではないため、基準ユニット２Ｓ11の発する光の一部が導光部材２４ａ、２４ｂを通過することで、基準ユニット２Ｓ11の発する光の光特性よりも受光センサ２６で検出した光特性、つまり輝度及び色度が異なる可能性がある。従って、導光部材２４ａ、２４ｂのスペクトルの減衰特性に基づく輝度及び色度の補正係数をそれぞれ予め求めてメモリ３６に記憶しておき、当該ステップＳ１３で当該減衰特性を補償するように、上記ステップＳ１１で検出した輝度及び色度に補正係数を掛けて補正することにより、受光センサ２６で検出した輝度及び色度を基準ユニット２Ｓ11の発する実際の光の輝度及び色度に略等しく合わせることができる。
【００７３】
ステップＳ１３では、従属ユニット２Ｓ12の発する光の輝度及び色度が、上記ステップＳ１２で補正した輝度及び色度と略等しくなるように電力量を算出する。ここで、電力量を算出する方法としては、上記ステップＳ２で述べた方法と同様である。
【００７４】
ステップＳ１４では、上記ステップＳ１３で補正された電力量になるように、従属ユニット２Ｓ12の電力制御回路３０から各有機ＥＬ素子１２Ｒ、有機ＥＬ素子１２Ｇ、有機ＥＬ素子１２Ｂに供給する電力量を調整する。
【００７５】
（従属ユニットに基づく従属ユニットの輝度調整）
図１０は、親機となる従属ユニットが発する光に基づいて、子機となる従属ユニットの発する光を制御するフローチャートである（発光制御ステップ）。上述したように、基準ユニット２Ｓ11の発する光に基づいて発する光の光特性が制御された従属ユニット２Ｓ12を親機とし、従属ユニット２Ｓ13を子機として光特性を制御した後、順次親機を切り替えて、各従属ユニットが発する光の光特性が未制御の従属ユニットの光特性を制御するものである。以下の説明は、一例として、従属ユニット２Ｓ12（第１従属ユニット、親機）に基づいて、従属ユニット２Ｓ12に隣接する従属ユニット２Ｓ13（第２従属ユニット、子機）を制御するものである。
【００７６】
ステップＳ２１では、隣接する従属ユニット２Ｓ12の発する光の一部が導光部材２４ａ、２４ｂを介して従属ユニット２Ｓ13の受光センサ２６に入射することにより、従属ユニット２Ｓ12の発する光の輝度及び色度を検出する。このように導光部材２４ａ、２４ｂを使用することにより、上記ステップ１１で述べたことと同様の効果を得ることができる。
【００７７】
ステップＳ２２では、上記ステップＳ２１で検出した輝度及び色度を補正する。使用する補正係数は、上記ステップＳ１２と同様である。予め求められた導光部材２４ａ、２４ｂのスペクトルの減衰特性を補償するように、上記ステップＳ２１で検出された輝度及び色度に補正係数を掛けて補正することにより、受光センサ２６で検出した輝度及び色度を従属ユニット２Ｓ12の発する光の輝度及び色度に略等しく合わせることができる。
【００７８】
ステップＳ２３では、従属ユニット２Ｓ13の発する光の光特性が上記ステップＳ２２で補正された輝度及び色度と略等しくなるように、従属ユニット２Ｓ13の発する光の輝度及び色度の電力量を算出する。ここで、電力量の算出方法としては、上記ステップＳ２で述べた方法と同様である。
【００７９】
ステップＳ２４では、上記ステップＳ２３で算出された電力量になるように、従属ユニット２Ｓ13の電力制御回路３０から各有機ＥＬ素子１２Ｒ、有機ＥＬ素子１２Ｇ、有機ＥＬ素子１２Ｂにそれぞれ供給する電力量を調整する。
【００８０】
以下同様に、本フローチャートは残る従属ユニット２Ｓ14〜２Ｓmnに対しても親機、子機の関係を入れ替えながら行うものである。
【００８１】
このように、本実施例によれば、基準ユニット２Ｓ11の輝度及び色度に基づいて従属ユニット２Ｓ12の輝度及び色度を制御し、従属ユニット２Ｓ12の輝度及び色度に基づいて従属ユニット２Ｓ13の輝度及び色度を制御することを順次行って最後に従属ユニット２Ｓmnの輝度及び色度を制御することにより、図５に示すように隣接する面照明装置２の発する光の輝度及び色度が順次制御されていく。即ち、基準ユニット２Ｓ11が発する光は、導光部材２４ａ、２４ｂを介して従属ユニット２Ｓ12へ入射し、基準ユニット２Ｓ11の輝度及び色度と略等しくなるように制御される。次に、従属ユニット２Ｓ12の発する光の一部が導光部材２４ａ、２４ｂを介して隣接する従属ユニット２Ｓ13へ入射し、従属ユニット２Ｓ13の輝度及び色度が従属ユニット２Ｓ12と略等しくなるように制御される。このように、基準ユニット２Ｓ11の輝度及び色度を変えることにより、従属ユニット２Ｓ12〜２Ｓmnまでの輝度及び色度を順次制御することができる。
【００８２】
また、導光部材２４ａ、２４ｂを使用して受光センサ２６に面照明装置２の発する光を導くので、面照明装置２以外の散乱光の影響を受けにくくなり、従属ユニットの輝度及び色度の制御精度を向上させることができる。
【００８３】
（面照明システムの変形例）
さらに、上記第１実施例の変形例について以下に説明する。この変形例では、各面照明装置２に設けられる導光部材２４及び受光センサ２６を増設したものである。詳しくは、図１１に面照明装置２の発光面４から見た面照明システム１の平面図を示す。
【００８４】
前述した親機と子機との組み合わせとは、図１１中に示す矢印に従って順次行われる。従って、図１１に示すように、面照明装置２の境界に示したそれぞれの矢印の位置において、隣接するそれぞれの面照明装置２の側面部６に対向する位置に穿設された貫通孔８には導光部材２４ａ、２４ｂが嵌め込まれており、導光部材２４ｂが嵌め込まれる貫通孔８には受光センサ２６が配置され、矢印の順番に従って各面照明装置２の発する光の光特性が制御されていく。
【００８５】
ここで、図１１に示すように、基準ユニット２Ｓ11とし、従属ユニットを２Ｓ12〜２Ｓmnとすると、基準ユニット２Ｓ11の発する光の一部がそれぞれ導光部材２４ａ、２４ｂを介して基準ユニット２Ｓ11に隣接する従属ユニット２Ｓ12（第１従属ユニット）、２Ｓ21（第１従属ユニット）に配置されている受光センサ２６に入射する。受光センサ２６が検出した光の輝度及び色度と略等しくなるように、従属ユニット２Ｓ12、２Ｓ21は上述したステップＳ１１〜Ｓ１４に従って制御される。次に、従属ユニット２Ｓ12の発する光の一部が導光部材２４ａ、２４ｂを介して隣接する従属ユニット２Ｓ13（第２従属ユニット）、２Ｓ22（第２従属ユニット）の受光センサ２６にそれぞれ入射し、従属ユニット２Ｓ13、２Ｓ22は上述したステップＳ２１〜Ｓ２４に従って制御される。このように、従属ユニット２Ｓ12〜２Ｓmnの輝度及び色度が図１１中の矢印に従って順次制御される。このような構成にすることにより、隣接する２台の面照明装置２に光の一部をそれぞれに伝達することができるので、より迅速に各面照明装置２の輝度及び色度の制御を行うことができる。
【００８６】
（発光制御の変形例）
上記第１実施例の他の変形例について以下に説明する。この変形例では、面照明システム１の輝度を、面照明装置２の横の並び毎に段階的に異なるように調整するものである。この場合、色温度については第１実施例と同じく同一に調整されるものとする。このような調整の一例として、図５に示した面照明システム１の模式図に示す面照明装置２において、基準ユニット２Ｓ11〜従属ユニット２Ｓ1nの並びを行と定義し、行毎に輝度が異なるように調整する。このような調整の概要を以下に説明する。
【００８７】
まず、基準ユニット２Ｓ11〜従属ユニット２Ｓ1nの行では、基準ユニット２Ｓ11の発する光の輝度と略等しくなるように各従属ユニット２Ｓ12〜２Ｓ1nの発する光の輝度を制御する。次に、基準ユニット２Ｓ11〜従属ユニット２Ｓ1nに隣接する従属ユニット２Ｓ21〜従属ユニット２Ｓ2nの行は、基準ユニット２Ｓ11に対して所定の比率ｒだけ輝度を上げるように、従属ユニット２Ｓ21〜従属ユニット２Ｓ2nの発する光の輝度を制御する。さらに、従属ユニット２Ｓ21〜従属ユニット２Ｓ2nに隣接する従属ユニット２Ｓ31〜従属ユニット２Ｓ3nの行は、従属ユニット２Ｓ21〜従属ユニット２Ｓ2nの発する光の輝度に対して所定の比率ｒだけ輝度を上げるように、従属ユニット２Ｓ31〜従属ユニット２Ｓ3nの発する光を制御する。
【００８８】
上述した所定の比率は、例えば輝度が調整される最初の各面照明装置２に備えられているメモリ３６に予め設定されており、これに基づいて各面照明装置２の輝度を制御する。このとき、例えば図５に示す流れで面照明装置２の光を伝達する場合、１つの行からもう１つの行へ移行する際に子機となる従属ユニットには、それぞれ所定の比率ｒがメモリ３６に設定されており、これらを除く他の従属ユニットには比率として１がメモリ３６に設定されている。詳しくは、図１２に基準ユニット２Ｓ11に基づいて、隣接する従属ユニット２Ｓ12の制御を示すフローチャート、及び図１３に従属ユニット２Ｓ1nに基づいて隣接する従属ユニット２Ｓ2nの制御を示すフローチャートを示す。
【００８９】
図１２に示すように、ステップＳ１２１では、予め設定された比率ｒを使用して、上記ステップＳ１２で補正した輝度をさらに補正する。基準ユニット２Ｓ11に隣接する従属ユニット２Ｓ12の比率は１で設定されているので、求められた輝度はステップＳ１２で補正した輝度と同じになる。
【００９０】
なお、同じ行における隣接する従属ユニットは、子機となる従属ユニットの比率は１で設定されており、例えば従属ユニット２Ｓ12を親機とし、従属ユニット２Ｓ13が子機となる場合には、従属ユニット２Ｓ13で求められた光の輝度は、親機である従属ユニット２Ｓ12の輝度と等しくなる。
【００９１】
次に、従属ユニット２Ｓ1nでは、図１３のフローチャートに従い説明する。図１３に示すように、ステップＳ２２１では、予め設定された比率ｒを使用して、上記ステップＳ２２で補正した輝度をさらに補正する。従属ユニット２Ｓ1nに隣接する従属ユニット２Ｓ2nに設定されている比率ｒは、従属ユニット２Ｓ1nから輝度が高くなるような所定の比率であり、求められた電力量はステップＳ２２で補正した電力量から所定の比率ｒ高くなる。このように輝度を制御することにより、図１４に示すように、各面照明装置２の輝度が段階的に変化するように調整される。
【００９２】
このように、面照明装置２の並びに従って、１つの行からもう１つの行に移行する際に子機となる従属ユニットのメモリ３６に所定の比率ｒを予め設定しておくことにより、面照明システム１の輝度を段階的に高くしていくことができ、装飾やリラックス効果等を目的として面照明システム１を使用する場合に特に有効である。また、室内での明るさが場所によって異なる場合に、輝度を調整して見た目の明るさを室内のどの場所でも略等しくなるように調整することも可能である。
【００９３】
なお、上述した変形例では所定の比率ｒで面照明装置２の輝度を補正するようにしたが、これに限られず、所定差ｄで面照明装置２の輝度を補正するようにしてもよい。この場合は、上述したステップＳ１３１及びステップＳ２３１では所定差ｄを加算または減算して調整量を補正する。また、各従属ユニットに設定されている比率ｒは全て同じ値である必要はなく、必要に応じて適宜変更してもよい。
【００９４】
さらに、面照明システム１を構成する面照明装置２は、例えば面照明システム１の外側に配置された面照明装置２の輝度を暗くし、内側になるに従って段階的に明るくなるように輝度を調整してもよい。
【００９５】
さらに他の変形例として、面照明システム１として所定の点灯パターンとなるように、各面照明装置２は設定された点灯パターンに従って有機ＥＬ素子１２Ｒ、１２Ｇ、１２Ｂの各素子を点灯／非点灯とするようにしてもよい。この場合、設定される点灯パターンに応じて点灯／非点灯を予めメモリ３６に記憶していてもよい。このようにすれば、面照明システム１を装飾として利用する場合に有効である。なお、点灯させる面照明装置２の輝度は、基準ユニット２Ｓ11と略等しくなるように制御されるようにしてもよい。
【００９６】
また、親機となる面照明装置２が発する光の光特性と、当該親機となる面照明装置２に対して子機となる面照明装置２が発する光の光特性との関係が所定の関係となるように制御してもよい。例えば、面照明システム１の有する複数の面照明装置２が所定のパターンで点灯／非点灯となるように、親機となる面照明装置２の点灯状態に応じて、当該親機に対して子機となる面照明装置２の点灯状態を制御するようにしてもよい。
【００９７】
また、面照明システム１の有する各面照明装置２の輝度が所定のパターンで変化するように、親機となる面照明装置２が発する光の輝度に応じて、当該親機に対して子機となる面照明装置２が発する光の輝度を制御してもよい。さらに、面照明システム１の有する複数の面照明装置２が所定の色パターンで変化するように、親機となる面照明装置２が発する光の発光色に応じて、当該親機に対して子機となる従属ユニットが発する光の発光色を制御するようにしてもよい。
【００９８】
＜第２実施例＞
次に、第２実施例に係る面照明システム１について以下に説明する。本実施例に係る面照明システム１０１では、第１実施例に対して、導光部材２４ａ、２４ｂに加えて光透過性のある弾性部材を使用した点が異なり、その他の構成は共通している。従って、共通箇所の説明は省略し、相違点について説明する。
【００９９】
（面照明装置間の構成）
図１５に、本発明の第２実施例に係る面照明システム１０１における、図２のVI−VI線に沿う断面図を示す。親機となる面照明装置２０１ａの貫通孔８には導光部材２４ａが嵌め込まれている。面照明装置２０１ｂの貫通孔８には導光部材２４ｂが嵌め込まれており、面照明装置２０１ａの導光部材２４ａが放射した光を導いて受光センサ２６に入射させる。面照明装置２０１ａ、２０１ｂの側面部６間には、光透過性のある２つの弾性部材（光伝達手段）２４ｃ、２４ｃが挟持されており、面照明装置２０１ａの導光部材２４ａから放射された面照明装置２０１ａの発する光の一部を、これら弾性部材２４ｃを介して面照明装置２０１ｂの導光部材２４ｂに導くようにしている。
【０１００】
（弾性部材）
本実施例において、弾性部材２４ｃは、透明な材料で形成され、２つ重ね合わせた状態で、それぞれ対応する側面部６に圧接するような厚さを有している。本実施例では、面照明装置２０１ａ、２０１ｂの側面部６間には２つの弾性部材２４ｃが挟持されているが、これに限られず、面照明装置２０１ａ、面照明装置２０１ｂ間を圧接するような厚さの１つの弾性部材２４ｃで挟持するようにしてもよい。
【０１０１】
弾性部材２４ｃとして、例えば、シリコンラバー等の樹脂部材や、ポリエチレン等の高分子材料から形成されてもよい。このように形成された弾性部材２４ａは、ヤング率が１ＧＰａ以下であり、３ｍｍの厚さである場合に波長５８９．３ｎｍの光に対する透過率が５０％以上であるのが好ましく、より好ましくは７０％以上であり、さらに屈折率が１．３以上という特性を有する材料であるのが好ましい。
【０１０２】
このように、本実施例では、面照明装置２０１ａ、面照明装置２０１ｂの側面部６間に弾性部材２４ｃを挟持することにより、面照明装置２０１間の光の伝達を確実に行うと共に、面照明装置２０１間の密着性を向上させることができるので、第１実施例と同様の効果が得られると共に、面照明システム１０１の構造的な安定性を向上させることができる。
【０１０３】
＜第３実施例＞
次に、第３実施例に係る面照明システム１０２について以下に説明する。本実施例に係る面照明システム１０２では、第１実施例に対して、貫通孔８、導光部材２４ａ、２４ｂの代わりに面照明装置２０２の発光面４側に連結部材を配置した点、及び受光センサ２６周りの構造が異なり、その他の構成は共通している。従って、共通箇所の説明は省略し、相違点について説明する。
【０１０４】
図１６に、本発明の第３実施例に係る面照明システム１０２の概略構成を示す。親機と子機の関係を持って組み合わされる２つの面照明装置２０２間には、後述するように、枠部材１８を橋架するように発光面４側に連結部材２４ｄが取り付けられている。なお、連結部材２４ｄの形状はこれに限られず、例えば連結部材２４ｄを面照明装置２０２の発光面４側の一辺全体にわたって連結部材２４ｄを設けるようにしてもよい。また、図１６に示す連結部材２４ｄの配置は、図５で示した矢印に示す順序に従うものである。
【０１０５】
図１７に、本発明の第３実施例に係る面照明システム１０２における、図２のVI−VI線に沿う断面図を示す。図１７では、親機となる面照明装置２０２を面照明装置２０２ａとし、子機となる面照明装置２０２を面照明装置２０２ｂとしている。面照明装置２０２ａ、面照明装置２０２ｂの発光面４側には、隣接する面照明装置２０２ａ、面照明装置２０２ｂを連結する連結部材（光伝達手段、光伝達路）２４ｄが取り付けられている。連結部材２４ｄは中空の被覆材３９内に透明な樹脂が充填されて形成されている。連結部材２４ｄの一方の端部２５は面照明装置２０２ａの枠部材１８に対向するように取り付けられて被覆材３９が開口しており、他方の端部２５は面照明装置２０２ｂの枠部材１８に対向するように取り付けられて被覆材３９が開口している。
【０１０６】
（連結部材）
本実施例において、連結部材２４ｄは、被覆材３９の内側が比較的高い反射率を有した材料で形成されている。連結部材２４ｄは、面照明装置２０２ａの反射板２０に対向する位置に傾斜２４ｓが形成され、面照明装置２０２ｂに配置された受光センサ２６と対向する位置に傾斜２４ｔが形成されている。傾斜２４ｓ及び傾斜２４ｔの傾斜角は等しくても異なっていてもよいが、傾斜２４ｓで反射された光が傾斜２４ｔに入射して受光センサ２６に入射する角度である。
【０１０７】
連結部材２４ｄの端部２５が面照明装置２０２の枠部材１８と対向するように取り付けられているので、有機ＥＬ素子１２が発した光の一部が保護板１６から外方へ放射されずに枠部材１８に入射すると、この光が反射板２０で反射され、面照明装置２０２ａ側の開口部２５から傾斜２４ｓに入射する。こうして入射した光は傾斜２４ｓで反射されて傾斜２４ｔに入射し、傾斜２４ｔで反射されて面照明装置２０２ｂの枠部材１８に配置された受光センサ２６に向けて放射される。このような連結部材２４ｄの被覆材３９内の厚さｄは４ｍｍ以上であるのが好ましく、より好ましくは８ｍｍ以上である。
【０１０８】
このように、本実施例では、反射率の高い被覆材３９内に透明な樹脂が充填された連結部材２４ｄを、隣接する面照明装置２０２ａ、面照明装置２０２ｂの発光面４側の枠部材１８に取り付けることにより、面照明装置２０２ａの発する光の一部を、隣接する面照明装置２０２ｂに配置されている受光センサ２６へ効率よく導くことができる。
【０１０９】
また、面照明装置２０２を全て取り付けた後に隣接する面照明装置２０２間に連結部材２４ｄをそれぞれ取り付ければよいので、貫通孔８の穿設及び位置合わせを行う必要がなくなり、作業時間が短縮され、作業効率を向上させることができる。
【０１１０】
なお、連結部材２４ｄは透明な樹脂で充填することなく、中空に形成してもよい。
【０１１１】
（連結部材の変形例）
第３実施例の変形例として、図１８に示すように、連結部材２４ｄの代わりに透明な材料からなる光伝達部材（光伝達手段、光伝達路）２４ｅを使用してもよい。光伝達部材２４ｅの一方の端部２５ａは親機となる面照明装置２０２ａの反射板２０と対向する位置に取り付けられ、他方の端部２５ａは子機となる面照明装置２０２ｂに配置された受光センサ２６に対向する位置に取り付けられている。
【０１１２】
有機ＥＬ素子１２が発した光の一部が保護板１６から外方へ放射されずに枠部材１８に入射すると、この光が反射板２０で反射され、面照明装置２０２ａ側の端部２５ａから光伝達部材２４ｅに入射する。こうして入射した光は光伝達部材２４ｅの内部を通過して照明装置ｂ側の端部２５ａから放射されて、面照明装置２０２ｂに配置された受光センサ２６に向けて放射される。光伝達部材２４ｃは、例えば光ファイバー、アクリル樹脂、塩化ビニル樹脂、ポリカーボネート樹脂、シリコンゴム等であってもよい。また、光伝達部材２４ｃは、３ｍｍの厚さにおいて波長５８９．３ｎｍの光に対する透過率が５０％以上である材料を用いるのが好ましく、より好ましくは７０％以上であり、屈折率が１．３以上であるのが好ましい。
【０１１３】
このように、光伝達部材２４ｃを使用して親機となる面照明装置２０２ａの発する光の一部を隣接する子機の面照明装置２ｂに伝達することにより、上記第３実施例と同様の効果を得ることができる。
【０１１４】
＜第４実施例＞
次に、第４実施例に係る面照明システム１０３について以下に説明する。本実施例に係る面照明システム１０３では、第１実施例に対して各照明装置の発光を制御するリモコンを設け、各照明装置及びリモコンに、相互に制御信号を送受信するための送信部、受信部を設けた点が異なり、その他の構成は共通している。従って、共通箇所の説明は省略し、相違点について説明する。
【０１１５】
（面照明システムの構成）
図１９は、本発明の第４実施例に係る面照明システム１０３の概略構成図である。面照明システム１０３には、複数の面照明装置２０３とリモコン（遠隔操作手段）４０とが備えられている。各面照明装置２０３には、上記第１実施例と同様に、隣接する面照明装置２０３のうち親機となる面照明装置２０３の発する光の一部を子機となる面照明装置２０３へ導入する機構として貫通孔８、導光部材２４、及び受光センサ２６が設けられている。各面照明装置２０３の発する光は、上述した各実施例と同様に発光面４から外部へ放射される。そして、後述するように、各面照明装置２０３にはリモコン４０と制御信号を送受信するための送信部及び受信部が設けられている。
【０１１６】
リモコン４０には操作ボタンや表示部等が配置された操作部４２が備えられており、操作部４２と同じ面に受信部４３が設けられている。この受信部４３は、各面照明装置２０３から送信された各面照明装置２０３の受光センサ２６が検出した光特性情報を受信する。リモコン４０の長手方向一端側にある側面４４には、面照明装置２０３に対して制御信号を送信する送信部４６が設けられている。
【０１１７】
図２０は、図１９に示したリモコン４０の制御回路を示すブロック図である。上述したように、操作部４２は操作ボタンや表示部からなり、操作部４２は演算部５０に接続されている。演算部（システム制御手段）５０には受信部４３も接続されており、演算部５０は操作部４２に対する操作や、受信部４３で受信した面照明装置２０３の光特性情報、即ち輝度及び色度に基づいて処理を行うほか、処理結果に基づき、必要に応じて操作部４２における表示部を介して表示を行う。さらに演算部５０は基準ユニットとなる面照明装置２０３の点灯／非点灯を制御する。演算部５０にはメモリ４８及び送信部４６が接続されており、送信部４６は、演算部５０による処理結果に基づき、必要に応じて制御信号を面照明装置２０３に送信する。
【０１１８】
図２１は、図１９に示した面照明装置２０３の制御回路を示すブロック図である。送信部５１は、隣接する子機となる面照明装置２０３が、親機となる面照明装置２０３の発する光の一部を自らの受光センサ２６で受光し、検出した親機となる面照明装置２０３の輝度及び色度を光特性情報としてリモコン４０に送信するものである。受信部５２は、図２０に示したリモコン４０に設けられている送信部４６から送信された制御信号を受信するものである。受信部５２は演算回路３８に接続されており、受信部５２で受信した制御指令信号は演算回路３８で処理され、電力制御回路３０へ入力される。電力制御回路３０は、制御信号に基づいて各有機ＥＬ素子１２へ供給する電力量を制御する。
【０１１９】
（面照明システムの発光制御）
本実施例において、面照明システム１０３は、上記第１実施例と同様に複数の面照明装置２０３から任意に選定された基準ユニット２０３Ｓ11と、それ以外の面照明装置２０３を従属ユニット２０３Ｓ12〜２０３Ｓmnとから構成される。
【０１２０】
このような面照明システム１においては、基準ユニット２０３Ｓ11の発する光の光特性、即ち輝度及び色度を、親機となる基準ユニット２０３Ｓ11に隣接する子機となる従属ユニット２０３Ｓ12の受光センサ２６で検出し、従属ユニット２０３Ｓ12の送信部５１からリモコン４０へ送信する。リモコン４０は従属ユニット２０３Ｓ12で検出した輝度及び色度を受信した後、メモリ４８に記憶された導光部材２４の補正係数を使用して輝度及び色度を補正し、従属ユニット２０３Ｓ12の発する光が補正後の輝度及び色度となるようにリモコン４０から従属ユニット２０３Ｓ12へ制御信号を送信し、制御信号に基づいて従属ユニット２０３Ｓ12で制御する。次に、従属ユニット２０３Ｓ12を親機として、隣接する子機となる従属ユニット２０３Ｓ13の輝度及び色度をリモコン４０で同様に制御する。このようなリモコン４０による発光制御を従属ユニット２０３Ｓ13〜２０３Ｓmnに対して行う。
【０１２１】
図２２には、第４実施例に係る発光制御を示すフローチャート、図２３には各従属ユニット２０３Ｓ12〜２０３Ｓmnによる発光制御を示すフローチャートをそれぞれ示す。詳しくは、図２２に示すリモコン４０による発光制御のフローチャートから説明する。なお、当該フローチャートを実行する前に、各面照明装置２０３に識別番号を予め設定しておくものとする。また、以下に述べる各処理は、リモコン４０のメモリ４８に格納されているプログラムを実行することによって行われる。
【０１２２】
（発光制御）
ステップＳ３１では、リモコン４０の操作部４２で任意の識別番号を指定して親機となる面照明装置２０３を選定して点灯させる。本実施例では、まず、親機として基準ユニット２０３Ｓ11を選定して点灯させる。
【０１２３】
ステップＳ３２では、全ユニットの光特性の調整が終了したか否かを判定する。当該判定は、後述する各従属ユニット２０３Ｓ12〜２０３Ｓmnに設定される調整終了フラグにより識別される。当該判定結果が真（Ｙｅｓ）の場合にはステップＳ３８へ進み、判定結果が偽（Ｎｏ）の場合にはステップＳ３３へ進む。
【０１２４】
ステップＳ３３では、親機となる基準ユニット２０３Ｓ11が発する光の輝度及び色度を従属ユニット２０３Ｓ12に設けられた受光センサ２６で検出する。従属ユニット２０３Ｓ12で検出した輝度及び色度が従属ユニット２０３Ｓ12の送信部５１から送信され、リモコン４０の受信部４３で受信する。なお、当該ステップで点灯させる従属ユニット２０３12は未制御の従属ユニットであり、未制御の従属ユニットの識別方法として、例えば、各従属ユニット２０３Ｓ12〜２０３Ｓmnのそれぞれに設けられた導光部材２４に従って光が伝達される順番を、識別番号を使用してメモリ４８に記憶して行うようにしてもよい。
【０１２５】
ステップＳ３４では、上記ステップＳ３３で受信した、従属ユニット２０３Ｓ12で検出した輝度及び色度が、基準ユニット２０３Ｓ11の輝度及び色度と略等しくなるようにメモリ４８に記憶された導光部材２４の輝度及び色度の補正係数を使用して補正する。ステップＳ３５では、上記ステップＳ３４で補正した輝度及び色度から、従属ユニット２０３Ｓ12に設けられている各有機ＥＬ素子１２に供給する電力量を算出する。続くステップＳ３６では、上記ステップＳ３５で算出した給電量を送信部４６から該当する従属ユニット２０３Ｓ12へ送信する。
【０１２６】
図２３に示すフローチャートは、各従属ユニット２０３Ｓ12〜２０３Ｓmnに設けられた受信部５２が、リモコン４０の送信部４６から送信された指令信号を受信すると開始されるものである。詳しくは、以下に説明する。
【０１２７】
ステップＳ４１では、上記ステップＳ３５で求めた電力量になるように、従属ユニット２０３Ｓ12の電力制御回路３０から各有機ＥＬ素子１２に供給する電力量を調整する。
【０１２８】
図２２に戻り、続くステップＳ３７では、従属ユニット２０３Ｓ12の調整終了フラグを設定して親機となる基準ユニット２０３Ｓ11を消灯する。そして、ステップＳ３１へ戻り、従属ユニット２０３Ｓ12を親機とする従属ユニット２０３Ｓ13に対して上述した処理を行う。
【０１２９】
ステップＳ３８では、全ての面照明装置２０３の発光制御が終了したとして、全ての面照明装置２０３を点灯する。
【０１３０】
このように、本実施例では、基準ユニット２０３Ｓ11を点灯させて、隣接する子機となる従属ユニット２０３Ｓ12に設けられた受光センサ２６で検出し、検出した基準ユニット２０３Ｓ11の輝度及び色度をリモコン４０に送信する。リモコン４０の演算部５０では、基準ユニット２０３Ｓ11の輝度及び色度と略等しくなるように、輝度及び色度を補正して従属ユニット２０３Ｓ12に設けられている各有機ＥＬ素子への供給電力量を求め、従属ユニット２０３Ｓ12へ送信する。従属ユニット２０３Ｓ12はリモコン４０から受信した供給電力量に基づいて各有機ＥＬ素子１２へ供給する電力量を調整する。その後、従属ユニット２０３Ｓ12を親機とする従属ユニット２０３Ｓ13に対して同様に発光制御を行う。このように、各従属ユニット２０３Ｓ12〜２０３Ｓmnの発光を順次制御するので、上記第１実施例と同様の効果を得ることができる。
【０１３１】
なお、本実施例はこれに限られるものではなく、上述した発光制御では、従属ユニット２０３の有機ＥＬ素子１２に供給する電力量をリモコン４０の演算部５０で求めているが、基準ユニット２０３Ｓ11の輝度及び色度を求めてメモリ４８に記憶し、演算部５０で各従属ユニット２０３と基準ユニット２０３Ｓ11とのずれ量だけを求め、従属ユニット２０３の演算回路３８で供給電力量を求めるようにしてもよい。
【０１３２】
また、上述した発光制御に加えて、各面照明装置２０３の点灯／消灯の制御もリモコン４０の演算部５０に設定しておき、リモコン４０の操作部４２で各面照明装置２０３の発光制御を実行すると自動的に親機と子機との関係になる各面照明装置２０３の点灯／消灯を行って上述した光特性の調整を行うようにしてもよい。
【０１３３】
また、本実施例では、基準ユニット２０３Ｓ11の輝度及び色度と略等しくなるように従属ユニット２０３Ｓ12〜２０３Ｓmnの光特性を制御しているが、上述した第１実施例と同様に、面照明装置２０３毎に所定の関係をもって輝度及び色度の少なくともいずれか一方を異なるように従属ユニット２０３Ｓ12〜２０３Ｓmnの光特性を制御するようにしてもよい。
【０１３４】
また、本実施例では、各照明装置に受光センサ２６を設けているが、リモコン４０にも受光センサ２６を設け、各面照明装置２０３の発する光の輝度及び色度を検出し、それぞれの検出結果に基づいて発光制御を行うようにしてもよい。
【０１３５】
以上で実施形態の説明を終えるが、本発明は上述した実施形態に限定されるものではない。
【０１３６】
例えば、上記第１実施例では貫通孔８に導光部材２４ａ、２４ｂを嵌め込む構成としているが、これに限られるものではなく、導光部材２４ａ、２４ｂを使用せずに貫通孔８だけで親機となる面照明装置２の発する光の一部を子機となる面照明装置２に導くようにしてもよい。また、上記第２実施例では透明な弾性部材２４ｃを用いているが、弾性部材２４ｃの貫通孔８に対応する部分が中空になっている不透明な弾性部材を用いてもよい。
【０１３７】
また、上記各実施例では、隣接する面照明装置のうち、一方の面照明装置の発する光の一部を他方の面照明装置へ導入する機構としているが、隣接していない面照明装置間を光ファイバー等を介して一方の面照明装置の発する光の一部を他方の面照明装置へ導くようにしてもよい。
【０１３８】
また、上記第１実施例では導光部材２４及び受光センサ２６を配置する位置及び数を変更して２通りの発光制御の順番を示したが、これは一例であり、発光制御の順番はこれに限られるものではない。また、上記第３実施例では発光制御の順番に合わせて連結部材２４ｄを配置したが、これは一例であり、全ての面照明装置２間に連結部材２４ｄを配置するようにしてもよい。この場合、上記第１実施例と同様に、発光制御の順番に従って受光センサ２６を配置する。
【０１３９】
さらに、上記第１実施例では面照明装置２Ｓ11を基準ユニットとして選定しているが、基準ユニットは面照明装置の位置や配置によらず任意に選択可能である。
【０１４０】
また、上記各実施例では、発光光源を有機ＥＬ素子１２として説明したが、これに限られず、発光光源をＬＥＤ等の発光素子としてもよい。
【０１４１】
また、上記各実施例では、従属ユニットの数はｍ×ｎ−１台として説明したが、従属ユニットの数は多数の面照明装置を制御する上では多い方が好ましい。しかし、光特性の伝搬による誤差やブレが生じにくいという点では少ない方が好ましい。具体的には、従属ユニットの数は２以上であることが好ましく、３以上であることがさらに好ましく、４以上であることが特に好ましい。一方で、従属ユニットの数は１００以下であることが好ましく、５０以下であることがさらに好ましく、３０以下であることが特に好ましく、１０以下であることが最も好ましい。
【符号の説明】
【０１４２】
１、１０１、１０２、１０３  面照明システム
２、２０１、２０２、２０３  面照明装置
８  貫通孔（光伝達手段）
１２  有機ＥＬ素子
２４ａ、２４ｂ  導光部材（光伝達手段）
２４ｃ  弾性部材（光伝達手段）
２４ｄ  連結部材（光伝達手段）
２４ｅ  光伝達部材（光伝達手段）
２６  受光センサ（光検出手段）
４０  リモコン
２Ｓ11、２０１Ｓ11、２０２Ｓ11、２０３Ｓ11  基準ユニット
２Ｓ12〜２Ｓmn、２０１Ｓ12〜２０１Ｓmn、２０２Ｓ12〜２０２Ｓmn、２０３Ｓ12〜２０３Ｓmn  従属ユニット
【図１】
2012142272.tif 000003
【図２】
2012142272.tif 000004
【図３】
2012142272.tif 000005
【図４】
2012142272.tif 000006
【図５】
2012142272.tif 000007
【図６】
2012142272.tif 000008
【図７】
2012142272.tif 000009
【図８】
2012142272.tif 000010
【図９】
2012142272.tif 000011
【図１０】
2012142272.tif 000012
【図１１】
2012142272.tif 000013
【図１２】
2012142272.tif 000014
【図１３】
2012142272.tif 000015
【図１５】
2012142272.tif 000016
【図１６】
2012142272.tif 000017
【図１７】
2012142272.tif 000018
【図１８】
2012142272.tif 000019
【図１９】
2012142272.tif 000020
【図２０】
2012142272.tif 000021
【図２１】
2012142272.tif 000022
【図２２】
2012142272.tif 000023
【図２３】
2012142272.tif 000024
【図１４】
2012142272.tif 000025